(57)【特許請求の範囲】
【請求項１】
本釣り餌容器には、容器開口部の平らな台形状挿入口を片手の指で掴むように押し広げると容器にアミエビを充填し易い漏斗状挿入口に変形する機能と、容器開口部の排出口に装着するネジ式漸次縮小ノズルには餌籠がアミエビで満杯に成るまで絞り出しながら押圧出来る機能を有する、絞り出せる釣り餌の詰め替え容器である。
【請求項２】
本釣り餌容器開口部を密封するには、釣り餌容器開口部の挿入口に取り付けたチャックを閉じれば釣り餌容器の挿入口が密封できる手段と、釣り餌容器開口部の排出口に装着したネジ式キャップを閉詮すれば釣り餌容器排出口を密封できる手段を有する、請求項１記載の絞り出せる釣り餌の詰め替え容器である。
【請求項３】
本釣り餌容器は魚介類の形状でデザイン性のある外観を特徴とする、請求項１・２の記載の絞り出せる釣り餌の詰め替え容器である。
【発明の詳細な説明】
【技術分野】
【０００１】  本発明は釣り餌を餌籠へ詰めるための、絞り出せる釣り餌の詰め替え容器に関するものである。
【背景技術】
【０００２】  従来技術でのサビキ釣り等で用いる釣り餌の解凍アミエビを餌入れの餌籠へ詰める手段には、箸やスプーンかピンセット等の道具を使う方法手や、解凍アミエビを水汲みバケツの海水で溶かした中に空の餌籠を数回浸しアミエビを餌籠に直接掬い取る方法などがある。【０００３】  上記の従来技術の手段とは別に、釣り餌を容器に詰め餌籠へ絞り出す種々の先行技術が考案されている。
この先行技術案での撒きエサ注入器（特許文献１）は、ケーキの飾り付け等で使う生クリームを絞り出す袋状の容器で先端部に排出口を設けたイメージの形態で内容物を生クリームから釣り餌に置き換え、その挿入口にチャックで開閉する機能を持たせた考案である。
次の先行技術案での撒餌収容器（特許文献２）は、マヨネーズ容器のイメージの釣り餌容器で、釣り餌を底から詰める挿入口を大きなネジ式の蓋体にする事で挿入口を下に自立でき、この容器の釣り餌を餌籠へ絞り出す排出口に釣り餌を押圧するヘラ状の舌体を設けた考案である。
【先行技術文献】
【特許文献】
【０００４】
【特許文献１】実開平２−９０９７３
【０００５】
【特許文献２】実開平７−３００６７
【発明の概要】
【発明が解決しようとする課題】
【０００６】  前記の従来技術では、小さな径の餌籠へ釣り餌のアミエビを箸やスプーン等の道具を使い直接詰めるために、餌籠の外にアミエビやその汁がこぼれ落ちて不快な異臭を放ちハエなどもたかり釣り場を不衛生にするため釣り人が地元民から嫌がられている、この異臭問題を当発明が解決しようとする課題とした。
又、上記の従来技術の釣り人の中には、サビキ釣り等で使いきれずに残った不快な異臭を放つ釣り餌のアミエビを持ち帰らず袋ごと海に投棄しアミエビ資源の無駄遣いや海洋汚染にも繋がり、このアミエビを保管しようとする発想がない従来技術での問題を当発明が解決しようとする課題とした。【０００７】  前記の先行技術案の袋の容器の撒きエサ注入器（特許文献１）に釣り餌を充填するには、釣り餌容器の袋の口を釣り餌がこぼれないように両手で掴み広げるだけで両手が塞がり、一人では釣り餌を容器に充填する作業が出来ない問題を当発明が解決しようとする課題とした。
又、この先行技術案の袋の容器先端部の突出した排出口については、袋との取り付け部が餌籠の釣り餌を押圧する強度がなく、この先行技術案は釣り餌を絞り出すだけの機能で餌籠の釣り餌を押圧しようとする発想がない問題を当発明が解決しようとする課題とした。【０００８】  前記の先行技術案の撒餌収容器（特許文献２）が自立するには容器底部の挿入口が大口径のネジ式蓋体になり、その収容器底部蓋体周りの釣り餌が絞り出せない問題を当発明が解決しようとする課題とした。
又、この先行技術案の釣り餌収容器排出口に連接した先端が細いヘラ状の舌体については、釣り餌を餌籠へ押圧しながら絞り出す際に、餌籠が満杯に近付くと押圧する舌体の連接部から釣り餌がはみ出しこぼれ落ちる問題を当発明が解決しようとする課題とした。【０００９】  尚、この先行技術案の外観が機能本位でデザイン性がない問題も当発明が解決しようとする課題とした。
【課題を解決するための手段】
【００１０】  本発明の請求項１の釣り餌容器には、容器開口部の平らな台形状挿入口を片手の指で掴むように押し広げると容器にアミエビを充填し易い漏斗状挿入口に変形する機能と、容器開口部の排出口に装着するネジ式漸次縮小ノズルには餌籠をアミエビが満杯に成るまで絞り出しながら押圧出来る機能を有する、絞り出せる釣り餌の詰め替え容器である。【００１１】  本発明の請求項２の釣り餌容器開口部を密封するには、釣り餌容器開口部の挿入口に取り付けたチャックを閉じれば釣り餌容器の挿入口が密封できる手段と、釣り餌容器開口部の排出口に装着したネジ式キャップを閉詮すれば釣り餌容器排出口を密封できる手段を有する、絞り出せる釣り餌の詰め替え容器である。【００１２】  本釣り餌容器は魚介類の形状でデザイン性のある外観を特徴とした釣りを楽しめる、絞り出せる釣り餌の詰め替え容器である。
【発明の効果】
【００１３】  前記の従来技術では、小さな径の餌籠へ釣り餌のアミエビを箸やスプーン等の道具を使い直接詰めるために、餌籠の外にアミエビやその汁がこぼれ落ちて不快な異臭を放ちハエなどもたかり釣り場を不衛生にするため釣り人が地元民から嫌がられている、この異臭問題を当発明が解決しようとする課題とした。
この課題を本発明の請求項１の釣り餌容器では、容器開口部の平らな台形状挿入口を片手の指で掴むように押し広げると容器にアミエビを充填し易い漏斗状挿入口に変形する機能と、容器開口部の排出口に装着するネジ式漸次縮小ノズルには餌籠がアミエビで満杯に成るまで絞り出しながら押圧出来る機能を有する事で、上記課題が解決でき地元民から異臭問題で嫌がられる事なく釣り人は釣りを楽しめる。【００１４】  前記の従来技術の釣り人の中には、サビキ釣り等で使いきれずに残った不快な異臭を放つ釣り餌のアミエビを持ち帰らず袋ごと海に投棄しアミエビ資源の無駄遣いや海洋汚染にも繋がり、このアミエビを保管しようとする発想がない従来技術での問題を当発明が解決しようとする課題とした。
この課題を本発明の請求項２の釣り餌容器開口部を密封するには、釣り餌容器開口部の挿入口に取り付けたチャックを閉じれば釣り餌容器の挿入口が密封できる手段と、釣り餌容器開口部の排出口に装着したネジ式キャップを閉詮すれば釣り餌容器排出口を密封できる手段を有する事で、上記課題が解決できアミエビ資源の無駄遣いや海洋汚染の心配もしなくて釣りを楽しめる。【００１５】  前記の先行技術案の袋の容器の撒きエサ注入器（特許文献１）に釣り餌を充填するには、釣り餌容器の袋の口を釣り餌がこぼれないように両手で掴み広げるだけで両手が塞がり、一人では釣り餌を容器に充填する作業が出来ない問題を当発明が解決しようとする課題とした。
この課題を解決する本発明の請求項１の釣り餌容器には、容器開口部の平らな台形状挿入口を片手の指で掴むように押し広げると容器にアミエビを充填し易い漏斗状挿入口に変形する機能を有する事から、もう片方の手で釣り餌が充填できる事で、上記課題が解決でき一人で釣り餌容器が詰め替え出来安心して釣りを楽しめる。【００１６】  前記の先行技術案の袋の撒きエサ注入器（特許文献１）先端部の突出した排出口については、袋との取り付け部が餌籠の釣り餌を押圧する強度がなく、この先行技術案は釣り餌を絞り出すだけの機能で餌籠の釣り餌を押圧しようとする発想がない問題を当発明が解決しようとする課題とした。
同じく、前記の先行技術案の可橈性材質の撒餌収容器（特許文献２）の釣り餌収容器排出口に連接した先端が細いヘラ状の舌体については、釣り餌を餌籠へ押圧しながら絞り出す際に、餌籠が満杯に近付くと押圧する舌体の連接部から釣り餌がはみ出しこぼれ落ちる問題を当発明が解決しようとする課題とした。
これらの課題を本発明の請求項１では、釣り餌容器開口部の排出口に装着するネジ式漸次縮小ノズルには餌籠がアミエビで満杯に成るまで絞り出しながら押圧出来る機能を有する事で、上記課題が解決でき安心して餌籠へ釣り餌が詰められ釣りを楽しめる。【００１７】  前記の先行技術案の撒餌収容器（特許文献２）が自立するには容器底部の挿入口が大口径のネジ式蓋体になり、その収容器底部蓋体周りの釣り餌が絞り出せない問題を当発明が解決しようとする課題とした。
この課題を本発明の請求項２では、釣り餌容器開口部の挿入口に取り付けたチャックを閉じれば釣り餌容器の挿入口が密封でき、容器の釣り餌を絞り切れば元の平らな台形状挿入口に戻る事で、上記課題が解決でき釣り餌が無駄なく有効に使え釣りを楽しめる。【００１８】  次に、この先行技術案の外観が機能本位でデザイン性がない問題も当発明が解決しようとする課題とした。
この課題を本発明の請求項３では、本釣り餌容器は魚介類の形状でデザイン性のある外観を特徴とした事で、上記課題が解決でき釣り餌容器で釣りを楽しめる。
【図面の簡単な説明】
【００１９】
【図１】絞り出せる釣り餌の詰め替え容器全体の外観斜視図。
【図２】図１容器の釣り餌の挿入口が台形の詳細図。
【図３】図１容器の釣り餌の挿入口が漏斗状の詳細図。
【図４】図１容器の釣り餌の排出口がネジ式キャップの詳細図。
【図５】図１容器の釣り餌の排出口がネジ式漸次縮小ノズルの詳細図。
【図６】楽しめる絞り出せる釣り餌の詰め替え容器を魚介類の形状とした例
【発明を実施するための形態】
【００２０】  当発明の絞り出せる釣り餌の詰め替え容器は、図１のとおり容器開口部が挿入口と排出口から成る形態である。
【００２１】  この釣り餌容器の挿入口は釣り餌を容器内へ充填する時以外は図２のとおり平らな台形状の形態であるが、釣り餌を容器内へ充填する時の挿入口は図３のとおり指で掴むように押し広げる事により、釣り餌を挿入し易い形状の漏斗状の挿入口に変形する形態である。
【００２２】  この釣り餌容器の挿入口に設けたチャックは、釣り餌を容器内へ充填する時以外は閉じて挿入口を密封する形態とする。
【００２３】  この釣り餌容器の排出口は、釣り餌を餌籠へ絞り出す時以外の密封時は図４のとおりネジ式キャップで閉詮するが、釣り餌を容器から餌籠へ絞り出す時は図５のとおり排出口に、釣り餌を押圧しながら餌籠内へ絞り出す機能のネジ式漸次縮小ノズルに付け替える形態とする。
【００２４】  この当発明の絞り出せる釣り餌の詰め替え容器をデザイン性の有る魚介類の形状の容器例図６とすれば釣りを楽しめる。
【符号の説明】
【００２５】１  絞り出せる釣り餌の詰め替え容器
２  絞り出せる釣り餌の詰め替え容器の餌挿入口
３  絞り出せる釣り餌の詰め替え容器の餌排出口
４  絞り出せる釣り餌の詰め替え容器の餌挿入口のチャック
５  絞り出せる釣り餌の詰め替え容器の餌排出口のネジ式キャップ
６  絞り出せる釣り餌の詰め替え容器の餌排出口のネジ式漸次縮小ノズル
【要約】      （修正有）【課題】釣り餌の解凍アミエビを餌籠へ詰める作業中に、こぼれ落ちたアミエビやその汁が不快な異臭を放ちハエなどもたかり釣り場を不衛生にする事から、釣り人は地元民から嫌がられている。そこで釣り人が地元民から嫌がられる事のない餌籠に釣り餌を詰める方法を提供する。【解決手段】餌籠へ直接アミエビを詰めず、密封機能の有る釣り餌容器に自分でアミエビを充填し釣り場で餌籠へ釣り餌容器のアミエビを絞り出して詰める。【選択図】図１【図１】
0005885048.tif 000002
【図２】
0005885048.tif 000003
【図３】
0005885048.tif 000004
【図４】
0005885048.tif 000005
【図５】
0005885048.tif 000006
【図６】
0005885048.tif 000007